(57)【要約】      （修正有）【課題】クロスヘッド式大型多気筒２ストロークディーゼルエンジンにおけるクランク軸の疲労破損に対する耐性を高める。【解決手段】往復ピストンエンジンのクランク軸は、主ジャーナル５により互いに接続される複数のスロー２を備える。主ジャーナル５は主ジャーナル軸受面４０を有し、主ジャーナル軸受面４０はその２つの軸方向端部４２，４３の間の幅Ｗを有する。少なくとも一つの主ジャーナル５の主ジャーナル軸受面４０には少なくとも一つの減少領域４５が設けられる。少なくとも一つの減少領域４５は、２つの軸方向端部４２，４３の一方に隣接し、２つの軸方向端部４２，４３の前記一方から遠ざかる方向に徐々に浅くなる深さｙを有する。【選択図】図６
2014095470.tif 000002
【特許請求の範囲】
【請求項１】
クロスヘッド式大型低速ディーゼルエンジン（１０）のための組立式クランク軸（１）であって、
主ジャーナル（５）により互いに接続される複数のスロー（２）を備え、
前記主ジャーナルは主ジャーナル軸受面（４０）を有し、前記主ジャーナル軸受面はその２つの軸方向端部（４２，４３）の間の軸方向の幅（Ｗ）を有し、
少なくとも一つの前記主ジャーナルの前記主ジャーナル軸受面には少なくとも一つの減少領域（４５）が設けられ、
前記少なくとも一つの減少領域は、前記２つの軸方向端部の一方に隣接し、前記２つの軸方向端部の前記一方から遠ざかる方向に浅くなる深さ（ｙ）を有し、該減少領域は、前記主ジャーナルのその軸受に対する傾きに対処するように構成される、クランク軸。
【請求項２】
前記深さは、前記主ジャーナルの前記軸受面の略円筒状の範囲に対する深さである、請求項１に記載のクランク軸。
【請求項３】
前記少なくとも一つの減少領域は、対応する前記主ジャーナルのその軸受に対する傾きに対処するために、該主ジャーナルの円周全体の選択された一部をカバーする、角方向の特定の位置及び角方向の特定の広がり（δ１，δ２）を有する、請求項１に記載のクランク軸。
【請求項４】
選択された主ジャーナルに複数の減少領域（４５）が設けられる、請求項１に記載のクランク軸。
【請求項５】
前記複数の減少領域の各々は、関連する主ジャーナルにおける必要性に応じて個別に最適化される、請求項４に記載のクランク軸。
【請求項６】
複数の減少領域を有する１本の主ジャーナルが提供され、そのうちの幾つかは前記２つの軸方向端部の各々に隣接し、また複数の減少領域は、前記２つの軸方向端部の一方に隣接する、請求項４または５に記載のクランク軸。
【請求項７】
前記少なくとも一つの減少領域の前記深さ（ｙ）は、該減少領域が隣接する前記軸方向端部に向けて、軸方向に、徐々にその深さを増大させる、請求項１に記載のクランク軸。
【請求項８】
前記少なくとも一つの減少領域の前記角方向の広がり（δ１，δ２）は、前記主ジャーナルの円周領域全体にまで広がる、請求項１に記載のクランク軸。
【請求項９】
複数の主軸受（６２，８０，８６，８７）及び、請求項１から８のいずれかに記載のクランク軸を備える、軸受アセンブリ。
【請求項１０】
軸受シェル（８６，８７）が、完全な円筒形を有する軸受面を持つ平たんな軸受シェルである、請求項９に記載の軸受アセンブリ。
【請求項１１】
請求項１から８のいずれかに記載のクランク軸または請求項９及び１０のいずれかに記載の軸受アセンブリを備える、クロスヘッド式大型多気筒２ストロークディーゼルエンジン（１０）。
【発明の詳細な説明】
【技術分野】
【０００１】
本発明は、クランク軸，軸受アセンブリ，および大型多気筒2ストロークディーゼルエンジンに関する。特に本発明は、主ジャーナルにより相互に接続されるスローや、クランク軸の主ジャーナルのための軸受シェルを有する軸受アセンブリや、このようなクランク軸及び軸受アセンブリを備えるクロスヘッド式大型多気筒2ストロークディーゼルエンジンに関する。
【背景技術】
【０００２】
クロスヘッド式大型低速ディーゼルエンジンは巨大であり、非常に効率の高い出力発生機械である。このようなタイプのエンジンで最大のものは、９４ｒｐｍでおよそ１２０,０００ｋＷもの出力を有し、全長は３６メートル、重量はほぼ３８００トンにも達する。
【０００３】
このタイプのエンジンはシリンダセクションに分割されるが、これは、ベッドプレートにおいては隣接する横桁（cross girder）に対応し、A形のクランクケースフレームにおいては横補剛材（transverse stiffener）に、シリンダフレームにおいてはシリンダピッチ（シリンダ間距離；cylinder pitch）に対応する。
【０００４】
これらのエンジンはクランク軸を有する。クランク軸は、主ジャーナルにより相互に接続されたスローにより組み立てられる。主ジャーナルは主軸受により支持される。各クランクスローはクランクピンにより相互に接続される二つのアームを有する。これらのアームは、関連する主ジャーナルと焼き嵌めの手法を用いて連結される。主ジャーナルの端部をアームの孔に焼き嵌めする。各スローは一体的に製造されるか、または、二つのアームとクランクピンにより組み立てられる。
【０００５】
最も重いタイプのエンジンのスローはおよそ２５トンもの重量を有し、クランク軸の重量はおよそ４００トンにも達する。このようなクランク軸は、最大でおよそ１２，０００，０００Nmにも達するトルクを伝達しなければならず、また、クランク軸に作用するピストンの力も同じように巨大である。クランク軸の部品の寸法は、極めて多くの構造上の観点から決定される。特に、伝達されるべき力や、クランク軸が震えることにより生成される力は、各部品の寸法に影響を与える。また、接続部分や部品の寸法には安全面の因子もあり、それは各船級協会の要請によって規制されている。
【０００６】
クロスヘッド式大型多気筒２ストロークディーゼルエンジンの主ジャーナルは、ピストンからクランク軸に印加される巨大な力に耐えることができなければならず、また、クランク軸の振動挙動により作られる力にも耐えなければならない。
【０００７】
大型２ストロークディーゼルエンジンの主軸受は滑り軸受（slide bearing）である。このタイプの軸受では、ジャーナルの回転運動の流体力学的効果が圧力を生じるが、この圧力が、軸受シェルの軸受面とジャーナルの軸受面との間の油膜に積み上がり、これがジャーナルを軸受面から浮き上がらせる。軸受面の摩耗を防ぐには、一定以上の油膜厚が維持されなければならない。クロスヘッド式大型多気筒２ストロークディーゼルエンジンの複数の主軸受にかかる負荷は、一様に分散するのではなく、軸受毎に異なっている。負荷が軸受毎に異なるのは、クランク軸が回転し、その結果クランク軸が振動する場合に生じる動質量（dynamic mass）の力によるものである。燃焼圧力に起因してスローがたわむことや、伝達される変動トルクに起因して、中央部以外のスローがねじれることは、エンジンの運転中に中心軸にオフセットを生じ、各主軸受の間でずれを生じる。これが各主軸受の間で負荷が異なる原因となる。燃焼圧力により生じるクランク軸のたわみ及びねじれや、運転中に伝達される変動トルクに起因する両端側スローのねじれは、ジャーナル軸と軸受軸との間に傾きを生じ、これはエンジンサイクルの間に変化する。
【０００８】
さらに、クランク軸に作用する力はクランク軸にたわみを生じ、特にスローにたわみを生じる。これは、主軸受に対して主ジャーナルに傾きを生じる。クランク軸において、主ジャーナルの傾きは、主ジャーナル毎に異なるが、これは高いエッジ圧を生じ、軸受の部材の疲労破損の原因となる。高いエッジ圧は油膜厚の薄さにも関係する。上述のタイプの軸受けにおいて一般的な、油膜における高い圧力の別の問題は、ずれや傾きに関係するものではなく、主軸受の軸に沿った方向における油膜圧のプロファイル（形状）に関係している。
【０００９】
大型２ストロークディーゼルエンジンのための既知の軸受は、軸受毎に異なる傾きの度合いに対処するために、ブレンデッドエッジ軸受シェル（blended edge bearing shell）と呼ばれる軸受シェルを備えている。
【００１０】
ブレンデッドエッジ（blended edge）と呼ばれるデザイン（設計）は、主軸受の薄いホワイトメタルに適用されるもので、クランク軸の傾きによく耐えることができ、従って、エッジ疲労破損に対する耐性を高めることができる。
【００１１】
ブレンデッドエッジ・デザインは、軸受シェルの端部付近の周縁領域における滑らかな径構造であり、主軸受シャフトが傾く時に、軸受シェルの端部に接触することを防いだり、軸受シェルの端部で高い油膜圧を生じたりすることを防ぐ。
【００１２】
軸受のブレンデッドエッジ・デザインは、代償として、傾きが小さいが軸受にかかる力が非常に大きいときの、軸受の負荷耐性を減少させてしまう。このような状況では、平らな軸受が必要とされる。ブレンデッドエッジ・デザインの軸受は、エンジンのいずれかの場所に置かれる。エンジンは、ブレンデッドエッジ・デザインのシェルと、平らなシェルの両方をスペア部品として備えている必要がある。これは、部品の手配を複雑にする。また、外洋航行船に搭載されるエンジンが、このようなスペア部品を一緒に運ばなければならないことから、エンジンを高価にしてしまう。
【発明の開示】
【００１３】
このような背景の下、本発明の目的は、上記の先行技術に関連する不利な点を克服するか、少なくとも緩和する、クランク軸を提供することである。
【００１４】
この目的は、往復ピストンエンジンまたはコンプレッサのための次のようなクランクシャフトによって達成される。このクランクシャフトは、主ジャーナルにより互いに接続される複数のスローを備え、前記主ジャーナルは主ジャーナル軸受面を有し、前記主ジャーナル軸受面はその２つの軸方向端部の間の幅を有し、少なくとも一つの前記主ジャーナルの前記主ジャーナル軸受面には少なくとも一つの減少領域が設けられ、 
【００１５】
前記少なくとも一つの減少領域は、前記２つの軸方向端部の一方に隣接し、前記２つの軸方向端部の前記一方から遠ざかる方向に徐々に浅くなる深さを有する。 
【００１６】
エンジンの動作中において、主軸受の、その対応する主軸受に対する傾きは、主軸受ごとに異なる。また、エンジン動作中における主軸受の主軸受に対する傾きは、クランク軸の角度位置に応じて変わる。すなわち、主ジャーナルは、その主軸受に対して、クランク軸位置の３６０度の角度範囲の殆どにおいて完全に位置合わせがなされているかもしれないが、特定の角度位置において一つ又は複数の角度範囲においてはそうではないかもしれず、そのような角度範囲においては、傾きの大きさが変化する可能性がある。
【００１７】
主軸受ジャーナルの軸受面の軸方向の端部に隣接して局所的に減少する領域を少なくとも一つ設けることにより、必要とされる正確な領域において、圧力を逃がす減少領域を設けることができる。
【００１８】
主軸受ジャーナルの円周領域に沿った場所は、エンジンの負荷が同じであるならば、回転中にどこでも同じ負荷にさらされる。一方、主軸受シェルの各場所は、はるかに大きな負荷のスペクトルにさらされる。下部軸受シェルの全体に完全なブレンド（blend，丸みを帯びた端部）を設ける代わりに、ジャーナルの特定の部分にブレンドを適合する可能性を提供する。
【００１９】
主ジャーナルに局所的に減少した領域を設けることにより、エンジンの全体において、完全に平坦な軸受シェルを用いることが可能になる。
【００２０】
軸受シェルは、スペア部品として、クランク軸よりも遥かに多くの数が製造される。従って、同じ形状の軸受シェルを利用できることの利点は大きい。
【００２１】
ある実施形態において、前記深さは、前記主ジャーナルの前記軸受面の略円筒状の範囲に対する深さである。
【００２２】
ある実施形態において、前記少なくとも一つの減少領域は、対応する前記主ジャーナルの円周全体の選択された一部をカバーする、角方向の特定の位置及び角方向の特定の広がりを有する。
【００２３】
ある実施形態において、前記クランクシャフトは、選択された主ジャーナルに複数の減少領域を有するある
【００２４】
ある実施形態において、前記複数の減少領域の各々は、関連する主ジャーナルにおける必要性に応じて個別に最適化される。
【００２５】
ある実施形態において、複数の減少領域を有する１本の主ジャーナルが提供され、そのうちの幾つかは前記２つの軸方向端部の各々に隣接し、また複数の減少領域は、前記２つの軸方向端部の一方に隣接する。
【００２６】
ある実施形態において、少なくとも一つの減少領域４５の深さｙは、減少領域４５が隣接する軸受面の軸方向端部４２，４３に向けて、軸方向に、徐々にその深さを増大させる。
【００２７】
ある実施形態において、前記少なくとも一つの減少領域の前記角方向の広がりは、前記主ジャーナルの円周領域全体にまで広がる。
【００２８】
前述の目的はまた、複数の主軸受及び上述のクランク軸を有する軸受アセンブリによっても達成される。
【００２９】
ある実施形態において、前記軸受アセンブリが有する軸受シェルは全て平坦な軸受シェルであって、完全な円筒形を有する軸受面を持つ。
【００３０】
前述の目的はまた、上記クランク軸または上記軸受アセンブリを備える、クロスヘッド式大型多気筒２ストロークディーゼルエンジンまたはコンプレッサによっても達成される。
【００３１】
本明細書の開示に従うクランク軸や軸受アセンブリ、エンジン、コンプレッサの更なる目的や特徴、利点、性質は、以下の詳細説明により明らかになるだろう。
【図面の簡単な説明】
【００３２】
本明細書の以下の詳細説明部分においては、図面に示される例示的な実施形態を参照して発明がより詳細に説明される。
【図１】従来型の８気筒２ストロークディーゼルエンジンの側面図である。９気筒から１２気筒のエンジンの長さも示している。
【図２】図１のエンジンの正面図である。
【図３】本発明の例示的実施形態に従うクランク軸の側面図である。
【図４】図３のクランク軸の一部分の詳細図である。
【図５Ａ】本発明の例示的実施形態に従うエンジンのベッドプレートの横桁（cross girder）を、主軸受サポートと共に描いたものである。
【図５Ｂ】図５Ａの軸受サポートを詳細に描いたものであり、軸受キャップと軸受シェルを示している。
【図６】図３のクランク軸の主軸受及びクランクスローの詳細図であり、長手方向の一部の断面図である。
【図７】本発明の例示的実施形態に従う主軸受上の"reducing area"の位置を示す図である。
【詳細な説明】
【００３３】
以下の詳細説明において、クランク軸、軸受アセンブリ、クロスヘッド式の大型２ストロークディーゼルエンジンまたはコンプレッサが、好適な実施形態を用いて説明される。
【００３４】
図１及び２は、クロスヘッド式の大型低速２ストローク直列エンジン１０を描いたものであり、直径９８ｃｍのピストンを備えている。このエンジンは、船舶の推進機関や発電所の主機関として用いられうる。このようなエンジンは、通常、６本から１６本のシリンダを直列に備えている。図１には、８気筒のエンジン１０が側面図で描かれている。この図には、同じタイプのエンジンが９気筒、１０気筒、１１気筒、１２気筒である場合の外形を示す追加の線が描かれている。エンジン１０の下には、縮尺がメートル単位で示されている。これは、この機械の本当の大きさを知ってもらうためである。８気筒のモデルの場合、全長はおよそ１８ｍとなり、１６気筒のモデルの場合はおよそ３４メートルにもなる。
【００３５】
エンジンは、クランク軸1のための主軸受を備えるベッドプレート11から組み立てられる。ベッドプレート11は、製造施設の能力に応じて複数の部分に分けて作られる。ベッドプレートは、溶接設計による長手桁（longitudinal girder）と、溶接設計による横桁（cross girder）６０から構成される。横桁には鋼鉄製の軸受サポート６２が設けられる（図５）。
【００３６】
エンジンは、ピストンロッド２９によりクロスヘッド２４に接続されるピストン２８を有する。図２において破線で示される要素を参照されたい。クロスヘッド24は縦案内版２３によって案内される。連接棒３０が、クロスヘッド２４をクランク軸１のクランクピン４に接続する。
【００３７】
ベッドプレート11の上には、溶接設計によるＡ型のクランクケースフレーム12が設置される。クランクケースフレーム12の上部には、シリンダフレーム13が設置される。ベッドプレート１１をシリンダフレーム13を連結し一体化するには、ステーボルト26（図示されていない）が用いられる。シリンダ14はシリンダフレーム13によって担持される。各シリンダ１４の上部には、排気弁アセンブリ１５が設置される。シリンダフレーム１３にはまた、燃料噴射システム１９、排気受け１６、ターボ過給機１７、掃気受け１８も設置される。
【００３８】
図３は、本発明の例示的実施形態に従う、12気筒エンジンのクランク軸１を描いたものである。クランク軸１は前端部（fore end）と後端部（aft end）とを有する。図３において、左側が前端部であり、右側が後端部である。クランク軸１の重量は、全体でおよそ４００トンにも達する。エンジンの製造施設には、このような重量を持ち上げることのできるクレーンは存在しないので、クランク軸１は、前端部分１ｂと後端部分１ａとに分けて製造され、組み立てられる。クランク軸の各部分１ａ，１ｂはそれぞれ６つのクランクスロー２を有する。すなわちクランク軸全体では１２個のクランクスロー２が存在する。なお、別の構成を取ることも可能であり、例えば１４気筒のエンジンにおいて、クランク軸は、４つのスローを有する二つの部分と、６の部分を有する一つの部分とに分けられてもよい。前端部分１ｂおよび後端部分１ａは、１つずつ、主ジャーナル５の部分において対応する軸受シェル８６に置かれる。そして、クランク軸の前端部分と後端部分とを、フランジ接続部３７によって長手方向に結合する。クランク軸の前端部分と後端部分とがフランジ接続部３７においてボルトで接合され、軸受キャップ８０が載せられると、クランクケースフレーム１２をベッドプレート１１の上に載せることができるようになる。
【００３９】
クランク軸部品１ａ，１ｂは、各々６つのクランクスロー２と７本の主ジャーナル５から組み立てられる。クランクスロー２は、二つのアーム３と一体的に形成されたクランクピン４を有する。クランクスロー２は、鋳鋼または鍛鋼の単一部品として製造される。クランク軸部品１ａ，１ｂのそれぞれの６つのクランクスロー２は、各々主ジャーナル５によって互いに接続される。主ジャーナル５は２つのスロー２の脇の間に存在することになる。本実施例におけるクランク軸全体のための主軸受の数は、１４となる。
【００４０】
後端部分１ａはスラスト軸受３９を有する。スラスト軸受３９は、図示されないプロペラ推進部により中間シャフトを介して生成される力を受け止める。
【００４１】
主ジャーナル５は中央軸受部分と二つの端部分とを有する。これらの端部分は、クランク軸１が組み立てられるときに、隣接するクランクスロー２のアーム３のボアに焼き嵌めされる。前端部分１ｂや後端部分１ａの長手方向の先端部分に位置する主ジャーナルは、軸受に設置される部分を有すると共に、その一端は、対応するクランクスロー２のアームのボアに焼き嵌めされる。
【００４２】
図５は、ベッドプレート１１の横桁における主軸受サポート６２を示している。横桁は、エンジンベッドプレートの溶接構造の一部であり、軸受サポート６２を担持する２つのウェブプレート６０（横桁；cross-girder）を有する。
【００４３】
主軸受サポート６２は、上方に面する窪みを有する。その底には、下部軸受シェル８６が載置される弧状の支持面が設けれる。下部軸受シェルは、好ましくは薄いシェル状（shell type)で、その上に軸受メタルが堆積された合金で形成される。上方に面する窪みは、主軸受サポートの上面６４へと開口する。上方に面する窪みはまた、軸受キャップ８０を案内する案内面を有する。軸受キャップ８０には、上部軸受シェル８７のための弧状の支持面が設けられる。上部軸受シェルも薄いシェル状であり、軸受メタルが堆積された合金で形成される。軸受キャップ８０は、油圧テンションボルト８２によって所定の位置に保持される。ボルト８２は、主軸受サポート６２に設けられるネジ穴に固定される。
【００４４】
軸受シェル８６，８７は、薄いシェル（thin shell）状であると呼ばれるが、これは、通常軸受シェルの厚みが、軸受によって支持されるジャーナル５の直径の１．５〜３パーセントであることを意味している。薄いシェル状の軸受の従来の特徴は、シェルが主軸受サポート６２により支持されなければならず、軸受キャップ８０はシェルの全体を覆わなければならないというものであった。これは、エンジン１０の動作中に生じる動的な影響に対して、シェルの厚みが軸受メタル（ひいては軸受シェルの軸受面）を支持するために十分ではないためである。軸受キャップ８０は、軸受スタッド８２によってベッドプレート１１の方へきつく締められる。軸受スタッド８２は、シェル８６，８７をその位置に保持するための保持力を発生する。軸受シェル８６，８７の軸受面は完全に円筒状である。しかし、実施形態によっては、シェルの径は完全に一定ではなく、軸受の左右両端部においては、最大径を有する上部から、最小径を有する下部領域まで径が滑らかに変化している。
【００４５】
エンジンの各主軸受は、それぞれ負荷および傾斜軌道（inclination orbit）にさらされる。最適なブレンデッドエッジの位置は、ＥＨＤシミュレーションによってのみ決定されうる。
【００４６】
主軸受５の各々は主ジャーナル軸受面４０を有し、主ジャーナル軸受面４０は、その前端部４２と後端部４３との間に所定の軸幅Ｗを有する。なお、前端や後端との語句は、クランクシャフト１のどちらの側に主ジャーナル軸受面４０の端部が位置しているかを表している。主ジャーナル軸受面４０は、通常は完全に円筒形の面を有し、完全な円筒形である軸受シェル８６，８７に適合し、耐負荷能力を最大化する。しかし、円筒状の幅の全体にわたって軸受面が完全に円筒状の場合、主軸受の軸に対する主ジャーナル５の傾きは、軸受シェル８６，８７の端部において、許容できない圧力を生じ、それは軸受シェル８６，８７の軸受材を破損する結果を生じることになる。エンジン１０の動作中における、主軸受の軸に対する主ジャーナル５の傾きは、クランク軸の角度位置に依存し、また、主ジャーナル５によっても異なる。軸受シェル８６，８７における許容できないほどの高いエッジ圧力を防止するために、いくつかまたは全ての主ジャーナル５は、減少領域（receding area）４５を有する。主ジャーナル５の減少領域４５は、主ジャーナル軸受面４０の前端部４２または後端部４３に隣接し、それぞれ、定められた深さｙ，軸方向の広がりｘ，角方向の広がりδを有する。減少領域４５は深さｙを有するが、それは、減少領域４５に隣接する軸方向端部４２，４３のいずれか一方から遠ざかる方向に向かって、軸方向に沿って徐々に浅くなる。
【００４７】
図６および図７は、減少領域４５を詳細に描いている。減少領域４５は、主ジャーナル軸受面４０の前端部または後端部に対して軸方向の広がりを有する長さｘと、径方向の広がりを有する深さｙ（軸受面の円筒形の広がりに対する深さ）と、各方向の位置δによって描かれている。軸方向Ｘにおいて、軸受面の中央領域における円筒形の広がりに関する（および、減少領域４５以外の主ジャーナル軸受領域に関する）深さｙは、主ジャーナル軸受面４０の前端部４２または後端部４３のところで最大となり、そこから徐々に浅くなって、軸方向において減少領域４５が終わるところでゼロになる。一般的に、減少領域４５の深さｙは、減少領域４５の開始位置から軸受面４０の前端部又は後端部へ向かって軸方向に、徐々に増加する。どのような場合においても、落ち込んでいる領域４５が最も深くなっている位置は、スロー２の横腹に隣接しているべきである。なぜなら、その位置が、主ジャーナルの軸受に対する傾きに対処するために深さｙが最も必要とされる位置であるからである。すなわち、下がっている領域４５の深さｙは、主ジャーナル５からスロー２へ移行する前に、スロー２の方向に向かって浅くなってはならない。減少領域４５の深さｙは図６において拡大されて図示されている。これは、減少領域を肉眼で認識することは難しいかもしれないからである
【００４８】
図７に描かれるように、減少領域４５は、主ジャーナル５の円周領域の一部分である、角方向の広がりδ１およびδ２を有する。この例においては、減少領域４５の角方向の広がりδ１およびδ２は、主ジャーナル軸受面４０の前端部又は後端部において最大となり、そこから離れるに従って徐々に減少し、減少領域４５が終わる位置でゼロになる。
【００４９】
ある実施形態において、少なくとも一つの減少領域４５の深さｙは、減少領域４５が隣接する軸受面の軸方向端部４２，４３に向けて、軸方向に、徐々にその深さを増大させる。
【００５０】
図７には二つの減少領域４５が示されている。１つは角方向にδ１の広がりを有し、もう一つは各方向にδ２の広がりを有する。しかし別の例では二つより多い減少領域４５を有する場合もあり、また、減少領域４５を一つ有さない場合もある。二つの減少領域４５は角度αによって隔てられている。
【００５１】
減少領域４５の数、それらの軸受面上の位置、それらの深さ、ｘ方向の広がり、角方向の広がりは、主ジャーナル５毎に、それぞれ、軸受シェル８６，８７の軸受面と主ジャーナル５の軸受面４０との間の油膜の最大圧力が許容可能なレベル以下に抑えられるように、それぞれ決定される。また、この決定は、軸受の耐負荷能力を最大化すべく、主ジャーナル５がなるべく完全な円柱状にすることも考慮してなされるべきである。減少領域４５の最適な数や大きさ、形状は、運転中のエンジン１０のクランク軸や軸受の挙動を数値シミュレーションすることにより決定される。ある実施形態に従う１つの主ジャーナルには、その２つの軸方向端部４２，４３に隣接して複数の減少領域が設けられる。
【００５２】
数値シミュレーションは、シリンダ圧力をクランク軸の位置の関数として得るために、シリンダ１４における燃焼プロセスを考慮してもよい。数値シミュレーションはまた、燃焼シーケンスの最適化を含んでもよい。燃焼シーケンスは、クランク軸やその他の軸系の動的な性質や、全ての軸受の性能、エンジンの外力への影響、船体に及ぼすモーメント等に良い影響を与えるように選ばれてもよい。数値シミュレーションはまた、クランク軸の負荷や傾きの計算を含んでもよい。クランク軸の軸受を最適化するために、全ての主ジャーナル５の負荷や傾きが、クランク軸の位置の関数として必要である。１２気筒エンジン中のための軸受の負荷や傾きを得るための完全な計算は、クランク軸１に印加される４３００以上の個別の負荷を必要とする。印加された負荷は、５０００以上の個別の反力（reaction force）をもたらし、これらは全て結合されて、正しい負荷や傾きの挙動を得るために用いられる。クランク軸のジャーナルの傾きに影響を及ぼす因子には、クランク軸の配置による剛性（stiffness ）や、ガス圧、回転速度、燃焼シーケンスがある。様々な自由度によるクランク軸の剛性の計算を、有限要素法によって行うことができる。クランク軸の偏位の計算には、クランク軸の位置の関数としてのシリンダ圧力が、選択された燃焼順序に組み合わされる。数値シミュレーションは、各軸受のシミュレーションを含んでもよい。各軸受の負荷が既知であるとき、油膜の厚さを最大化し、油膜の圧力を最小にするように、各主ジャーナル５の理想的な形状を計算することができる。軸受のシミュレーションにおいては、油の性質の影響や、軸受サポートの剛性、軸受の配置が考慮に入れられる。クランク軸のジャーナルの配置を更新して油膜のシミュレーションを繰り返すことにより、ジャーナルの理想的な形状を得ることができる。この理想的な形状には、個々の減少領域４５の深さや幅が含まれ、また、減少領域４５が角方向においてどこに配置されるべきかも含まれる。
【００５３】
ある実施形態において、少なくとも一つの減少領域４５の角方向の広がり（δ１，δ２）は、主ジャーナル５の円周領域全体にまで広がる。
【００５４】
ある実施形態において、軸方向の深さの形状は曲線に従う。
【００５５】
ある実施形態において、全ての下部軸受シェルは平坦なタイプ（plain type）である。
【００５６】
ある実施形態において、ジャーナルの軸受面の幅Ｗは、対応する軸受シェルの幅と同一である。
【００５７】
装置及び方法の好適な実施形態を、その開発の様子に言及しつつ説明してきたが、これらは単に、本発明の原理の説明の役に立てるためのものである。添付の特許請求の範囲の請求項の範囲を逸脱せずに、その他の実施形態や構成をとることが可能である。
【図１】
2014095470.tif 000003
【図２】
2014095470.tif 000004
【図３】
2014095470.tif 000005
【図４】
2014095470.tif 000006
【図５Ａ】
2014095470.tif 000007
【図５Ｂ】
2014095470.tif 000008
【図６】
2014095470.tif 000009
【図７】
2014095470.tif 000010
【外国語明細書】
2014095470000001.pdf